(57)【要約】【課題】廃棄物の熱を含まれる水の蒸発潜熱として消費することなく回収し、高水分廃棄物のもつエネルギーを高効率で回収することができるうえ、排水処理に必要な薬品類の消費量を低減できる高含水廃棄物を含んだ廃棄物の処理方法および処理装置を提供する。【解決手段】食品廃棄物や汚泥等の含水率の高い有機性バイオマスをメタン発酵処理によりメタンガスと消化汚泥および排水に分離し、前記消化汚泥は水分を低減した上で有機性廃棄物と混合することによりガス化溶融炉にて処理する廃棄物の水分量を低減し、前記メタン発酵によって得られたメタンガスの全量もしくは一部を酸素もしくは酸素付加空気およびガス化溶融炉の後段で採取された可燃性ダストと共にガス化溶融炉の羽口に吹き込み、炉内還元剤、加熱用の熱源として利用することにより、ガス化溶融炉の燃料として使用するコークスの消費量を抑制するとともに、前記メタン発酵処理によって副生する排水の全量もしくは一部をガス化溶融炉の後段に設置する燃焼炉に吹き込んで無害化する。【選択図】図１
2010149079.tif 000002
【特許請求の範囲】
【請求項１】
一般廃棄物を含む有機性廃棄物をガス化溶融炉で処理する廃棄物の処理方法において、
食品廃棄物や汚泥等の含水率の高い有機性バイオマスとその他の廃棄物とを分離し、含水率の高い有機性バイオマスをメタン発酵処理によりメタンガスと消化汚泥および排水に分離し、
前記消化汚泥は水分を低減した上でその他の有機性廃棄物と混合することによりガス化溶融炉にて処理する廃棄物の水分量を低減し、
前記メタン発酵によって得られたメタンガスの全量もしくは一部を酸素もしくは酸素付加空気およびガス化溶融炉の後段で採取された可燃性ダストと共にガス化溶融炉の羽口に吹き込むと共に、前記メタン発効処理によって副生する排水の全量もしくは一部をガス化溶融炉の後段に設置する燃焼炉に吹き込んで無害化することを特徴とする、高含水廃棄物を含んだ廃棄物の処理方法。
【請求項２】
前記ガス化溶融炉をシャフト式ガス化炉とし、前記メタン発酵によって得られたメタンガスを可燃性ガスと共に羽口に吹き込むとともに、余剰分をガスエンジンで発電する若しくはガス化溶融炉の廃熱ボイラ発電システムに付随する外部過熱器の熱源として利用することを特徴とする、請求項１に記載の高含水廃棄物を含んだ廃棄物の処理方法。
【請求項３】
前記ガス化溶融炉をシャフト式ガス化炉とし、該ガス化炉へ投入する水分量を１０から４０％に調整することを特徴とする、請求項１または請求項２に記載の高含水廃棄物を含んだ廃棄物の処理方法。
【請求項４】
前記消化汚泥の含水率の低減方法として好気性発酵を用いることを特徴とする、請求項１〜３のいずれか一項に記載の高含水廃棄物を含んだ廃棄物の処理方法。
【請求項５】
前記高含水廃棄物のうち、メタンガスの発生率の高い厨芥類をメタン発酵し、メタンガス発生率の低い下水汚泥、し尿汚泥とメタン発酵残渣のいずれかを好気性発酵による熱で乾燥させることを特徴とする、請求項１〜４のいずれか一項に記載の高含水廃棄物を含んだ廃棄物の処理方法。
【請求項６】
ごみピットの底部に滞留するごみ汚水をメタン発酵の原料若しくはメタン発酵処理に必要な添加水として利用することを特徴とする、請求項１〜５のいずれか一項に記載の高含水廃棄物を含んだ廃棄物の処理方法。
【請求項７】
前記ガス化溶融炉から出る排水をメタン発酵に必要な添加水として利用することを特徴とする、請求項１〜６のいずれか一項に記載の高含水廃棄物を含んだ廃棄物の処理方法。
【請求項８】
前記メタン発酵処理にて発生する排水を1次処理し、ガス化溶融炉から発生する排水と混合して排水処理することを特徴とする、請求項１〜７のいずれか一項に記載の高含水廃棄物を含んだ廃棄物の処理方法。
【請求項９】
前記メタン発酵に必要な熱源をガス化溶融炉の排熱を利用して得ることを特徴とする、請求項１〜８のいずれか一項に記載の高含水廃棄物を含んだ廃棄物の処理方法。
【請求項１０】
前記排熱が蒸気タービン排気であることを特徴とする、請求項９に記載の高含水廃棄物を含んだ廃棄物の処理方法。
【請求項１１】
請求項１〜１０のいずれか一項に記載の高含水廃棄物の処理方法に用いるガス化溶融炉およびメタン発酵処理装置を有することを特徴とする、高含水廃棄物を含んだ廃棄物の処理装置。
【発明の詳細な説明】
【技術分野】
【０００１】
本発明は、高含水廃棄物を含んだ廃棄物の処理方法および処理装置に関する。
【０００２】
具体的には、食品廃棄物、汚泥、泥炭などのように、含水率が７０％以上である廃棄物及び有機物を含んだ全体での水分が４０％を超える廃棄物の処理方法および処理装置に関する。
【背景技術】
【０００３】
近年、京都議定書への批准を始め、CO2に対する削減要求は高く、バイオマス等の再生可能エネルギーの利用に関する要求が高まっていている。
【０００４】
特に、下水汚泥等、バイオマスの一部は水分を多く含んでおり、これらの廃棄物を熱として利用する場合、排ガス中の顕熱や水分の蒸発潜熱によって熱が十分に利用できないという問題点があった。
【０００５】
これらの未利用エネルギーを利用することにより、CO2排出量の低減と温暖化の防止に大きく寄与できる。
【０００６】
高含水廃棄物の処理方法については、従来から種々の提案がなされている。
【０００７】
例えば、特許第３７５８５１３号公報（下記特許文献１）には、消化ガスでガスタービンを回し、ガスタービン、ガスエンジンの排熱を熱分解の熱源とする。しかし、ガスタービンの排気では温度が低く、十分な熱分解が得られないうえ、特許文献１の方式では廃棄物の灰分を溶融することはできず、リサイクル率が十分に得られないという問題点があった。
【特許文献１】特許第３７５８５１３号公報
【発明の開示】
【発明が解決しようとする課題】
【０００８】
本発明は、本発明は、水分の高い廃棄物をガス化、乾燥する際必要となる、廃棄物に含まれる水の蒸発潜熱による熱の消費を抑制し、高水分廃棄物のもつエネルギーを高効率で回収することができるうえ、排水処理に必要な薬品類の消費量を低減できる高含水廃棄物を含んだ廃棄物の処理方法および処理装置を提供することを課題とする。
【課題を解決するための手段】
【０００９】
本発明は、前述の課題を解決するために鋭意検討の結果、なされたものであり、その要旨とするところは特許請求の範囲に記載したとおりの下記内容である。
（１）一般廃棄物を含む有機性廃棄物をガス化溶融炉で処理する廃棄物の処理方法において、食品廃棄物や汚泥等の含水率の高い有機性バイオマスとその他の廃棄物とを分離し、含水率の高い有機性バイオマスをメタン発酵処理によりメタンガスと消化汚泥および排水に分離し、前記消化汚泥は水分を低減した上でその他の有機性廃棄物と混合することによりガス化溶融炉にて処理する廃棄物の水分量を低減し、前記メタン発酵によって得られたメタンガスの全量もしくは一部を酸素もしくは酸素付加空気およびガス化溶融炉の後段で採取された可燃性ダストと共にガス化溶融炉の羽口に吹き込むと共に、前記メタン発効処理によって副生する排水の全量もしくは一部をガス化溶融炉の後段に設置する燃焼炉に吹き込んで無害化することを特徴とする、高含水廃棄物を含んだ廃棄物の処理方法。
（２）前記ガス化溶融炉をシャフト式ガス化炉とし、前記メタン発酵によって得られたメタンガスを可燃性ガスと共に羽口に吹き込むとともに、余剰分をガスエンジンで発電する若しくはガス化溶融炉の廃熱ボイラ発電システムに付随する外部過熱器の熱源として利用することを特徴とする、（１）に記載の高含水廃棄物を含んだ廃棄物の処理方法。
（３）前記ガス化溶融炉をシャフト式ガス化炉とし、該ガス化炉へ投入する水分量を１０から４０％に調整することを特徴とする、（１）または（２）に記載の高含水廃棄物を含んだ廃棄物の処理方法。
（４）前記消化汚泥の含水率の低減方法として好気性発酵を用いることを特徴とする、（１）〜（３）のいずれか一項に記載の高含水廃棄物を含んだ廃棄物の処理方法。
（５）前記高含水廃棄物のうち、メタンガスの発生率の高い厨芥類をメタン発酵し、メタンガス発生率の低い下水汚泥、し尿汚泥とメタン発酵残渣のいずれかを好気性発酵による熱で乾燥させることを特徴とする、（１）〜（４）のいずれか一項に記載の高含水廃棄物を含んだ廃棄物の処理方法。
（６）ごみピットの底部に滞留するごみ汚水をメタン発酵の原料若しくはメタン発酵処理に必要な添加水として利用することを特徴とする、（１）〜（５）のいずれか一項に記載の高含水廃棄物を含んだ廃棄物の処理方法。
（７）前記ガス化溶融炉から出る排水をメタン発酵に必要な添加水として利用することを特徴とする、（１）〜（６）のいずれか一項に記載の高含水廃棄物を含んだ廃棄物の処理方法。
（８）前記メタン発酵処理にて発生する排水を1次処理し、ガス化溶融炉から発生する排水と混合して排水処理することを特徴とする、（１）〜（７）のいずれか一項に記載の高含水廃棄物を含んだ廃棄物の処理方法。
（９）前記メタン発酵に必要な熱源をガス化溶融炉の排熱を利用して得ることを特徴とする、（１）〜（８）のいずれか一項に記載の高含水廃棄物を含んだ廃棄物の処理方法。
（１０）前記排熱が蒸気タービン排気であることを特徴とする、（９）に記載の高含水廃棄物を含んだ廃棄物の処理方法。
（１１）（１）〜（１０）のいずれか一項に記載の高含水廃棄物の処理方法に用いるガス化溶融炉およびメタン発酵処理装置を有することを特徴とする、高含水廃棄物を含んだ廃棄物の処理装置。
＜作用＞
【００１０】
廃棄物を焼却その他の熱処理にて処理し、得られる熱をボイラ等で熱回収し、発電その他の方法により熱を利用する施設において、被処理対象物の含水率が高い場合、焼却によって生じる熱は廃棄物に含まれる水分の蒸発に消費され、熱として回収することが困難である。
（１）の発明によれば、シャフト式ガス化溶融炉では還元剤としてコークスを使用するが、水分が多い場合、乾燥にエネルギーを消費され、コークス使用量が多くなることがある。水分の高い廃棄物をメタン発酵処理することで水分の分離が可能となり、ガス化炉に投入される水分を抑制することができる。また、得られたメタンガスを羽口に吹き込むことによりコークス使用量の削減を図ることができる。また、分離された水分は有機性排水であるため、放流には排水処理が必要となるが、排水処理には薬品が膨大に必要になり、経済的に好ましくなく、薬剤を消費することで環境への負荷も高くなる。しかしながら排水を燃焼炉に吹き込むことで、ガス化溶融炉でのコークスへの影響を与えることなく有機排水の処理が可能となる。シャフト以外のガス化溶融炉においても溶融炉での水分バイパス処理が可能となり灯油、重油等の補助燃料の消費量が削減できる。また、メタンガスを羽口に吹き込む際には、溶融炉の後段で回収されたダストと共に吹き込むことで効果が大きくなる。
（２）の発明によれば、余剰のメタンガスを用いてガスエンジン発電することで高い発電効率を得ることができる。羽口に吹き込むことで全量ガスエンジン発電する場合に比べ、1次エネルギーとして利用するためエネルギーの利用効率が高い。また、メタンガスは燃焼しても腐食性ガスを発生させないことから、従来腐食の問題等で温度を上げられず、効率の上がらない廃棄物発電の効率を向上させることができる。
（３）の発明によれば、有機性廃棄物の分別割合を調整することでガス化溶融炉に投入される水分の割合を調整することができる。また、好気性発酵で発生する臭気は燃焼空気として燃焼室に吹き込むことで臭気を分解することもできる。
（４）の発明によれば、好気性発酵の発酵熱を利用することで新たにエネルギーを消費することなく水分を除去することが可能となる。
（５）の発明によれば、発酵効率の高い廃棄物に限定してメタン発酵処理をすることで、発酵設備のコンパクト化を図ることができ、2次発酵熱で下水汚泥を乾燥させることで、下水汚泥のもつエネルギーを水分蒸発に消費されることなく廃棄物発電に利用することが可能となる。
（６）の発明によれば、ピットからはごみから出た水分が回収されるが、有機性排水であるため、排水にはコストがかかる。メタン発酵と同時に処理することで低コスト名処理が可能となる。
（７）の発明によれば、雑排水等をメタン発酵処理の添加水として利用することで上水の使用量を削減することが可能となる。
（８）の発明によれば、排水処理を実施する場合、溶融処理から出る排水とメタン発酵処理で発生する排水とで同一の処理工程を混合処理することで排水処理設備のコンパクト化を図ることができる。
（９）の発明によれば、メタン発酵に必要な熱源をガス化溶融炉の排熱を利用することで全体の熱効率の向上を図ることができる。
（１０）の発明によれば、タービン排気は他に利用することができないため、プラント全体の熱効率を上げるためにはタービン排気熱の利用が効果的である。
（１１）の発明によれば、ガス化溶融炉およびメタン発酵処理装置を有することにより、（１）〜（１０）に記載の高含水廃棄物を含んだ廃棄物の処理方法を実現する処理装置を提供することができる。
【発明の効果】
【００１１】
本発明によれば、食品廃棄物、汚泥、泥炭などの含水率の高い廃棄物に含まれる水の蒸発潜熱を回収し、高水分廃棄物のもつエネルギーを高効率で回収することができるうえ、排水処理に必要な薬品類の消費量を低減できる高含水廃棄物を含んだ廃棄物の処理方法および処理装置を提供することができるなど、産業上有用な著しい効果を奏する。
【発明を実施するための最良の形態】
【００１２】
本発明を実施するための最良の形態について図１〜図７を用いて詳細に説明する。
【００１３】
図1〜図７において、１は高含水バイオマス、２は前処理装置、３はメタン発酵装置、４は脱水装置、５は乾燥装置、６は有機排水処理、７はガス処理、８は廃棄物、９は、ガス化溶融炉、９´はガス化炉、１０は燃焼炉、１０´は２次燃焼炉、１１はボイラ、１２は節炭器、１３は減温塔、１４は脱気器、５はバグフィルタ、１６は誘引通風機、１７は触媒反応塔、１８は煙突、１９は過熱器、１９´は独立過熱器、２０は蒸気タービン、２１は復水器、２２は復水タンクを示し、同じ要素については同じ記号を用いることにより説明の重複を避ける。
【００１４】
図１は、本発明の高含水廃棄物を含んだ廃棄物の処理方法におけるガス化溶融炉とメタン発酵の組み合わせを例示する図である。
【００１５】
廃棄物を溶融処理する方法には、例えばシャフト炉式廃棄物溶融炉が使用される。これは図１に示すように、ガス化溶融炉９の上部から処理対象となる廃棄物８や助燃料としてのコークス、塩基度調整剤としての石灰石等を装入し、装入された廃棄物８は、溶融炉９の上層から乾燥・予熱帯（約３００〜４００℃）、熱分解帯（約３００〜１０００℃）、燃焼・溶融帯（約１７００〜１８００℃）を通過して溶融処理される。
【００１６】
また、高温の燃焼排ガスは、ガス化溶融炉９内の廃棄物の充填層を対向流として上昇し、溶融炉上部の排ガス管から可燃ガスとして燃焼炉１０へ導入されて燃焼され、燃焼排ガスは、排ガス管を通ってボイラ１１に導入されて節炭器１２により熱交換されて廃熱が回収された後、減温塔１３で温度を調整してバグフィルタ１５にて除塵され、更には、触媒反応塔１７で公害物質が除去された後、煙突１８から排出される。
【００１７】
なお、図１に示すように、ボイラ１１により回収された熱を蒸気タービン２０の動力として用いることにより発電した電力は、補助動力、販売用電力として用いることができる。
【００１８】
しかし、従来の一般の廃棄物溶融炉では廃棄物を溶融するとともに、廃棄物に含まれる水分も処理する。このときに燃焼熱が水分の乾燥に消費され、熱として回収利用できないという問題点があった。
【００１９】
そこで、本発明は、一般廃棄物を含む有機性廃棄物８をガス化溶融炉９で処理する廃棄物の処理方法において、食品廃棄物や汚泥等の含水率が例えば７０％以上と高い有機性バイオマス１をメタン発酵装置３によりメタンガスと消化汚泥に分離し、前記消化汚泥は脱水装置４で水分を低減し、さらに乾燥装置５で水分を低減した上で有機性廃棄物と混合することによりガス化溶融炉にて処理する廃棄物の水分量を低減し、前記メタン発酵装置３によって得られたメタンガスの全量もしくは一部を酸素もしくは酸素付加空気およびガス化溶融炉の後段で採取された可燃性ダストと共にガス化溶融炉の羽口に吹き込み、炉内還元剤、加熱用の熱源として利用することにより、ガス化溶融炉の燃料として使用するコークスの消費量を抑制するとともに、前記メタン発酵処理によって副生する排水の全量もしくは一部をガス化溶融炉の後段に設置する燃焼炉に吹き込んで無害化することにより、排水処理に必要な薬品類の消費量を低減できることを特徴とする。
【００２０】
即ち、本発明においては、シャフト式ガス化溶融炉では還元剤としてコークスを使用するが、水分が多い場合、乾燥にエネルギーを消費され、コークス使用量が多くなることがある。水分の高い廃棄物をメタン発酵処理することで水分の分離が可能となり、ガス化炉に投入される水分を抑制することができる。  
【００２１】
また、得られたメタンガスにガス処理７を施して成分調整した後、ガス化溶融炉９の羽口に吹き込むことによりコークス使用量の削減を図ることができる。また、分離された水分は有機性排水であるため、放流には排水処理が必要となるが、排水処理には薬品が膨大に必要になり、経済的に好ましくなく、薬剤を消費することで環境への負荷も高くなる。しかしながら排水を燃焼炉１０に吹き込むことで、ガス化溶融炉９でのコークスへの影響を与えることなく有機排水の処理が可能となる。シャフト以外のガス化溶融炉においても溶融炉での水分バイパス処理が可能となり灯油、重油等の補助燃料の消費量が削減できる。
【００２２】
排水は全量燃焼炉に吹き込まない場合でも運転に最適な量を吹込み、残りを排水処理し、放流することで、排水処理のコストを抑制することができる。燃焼炉に吹き込む量が過剰に多い場合、炉の安定運転に影響を与える恐れがある。
【００２３】
本発明において、高含水廃棄物とは廃棄物に含まれる水分が７０%以上のものをいう。
【００２４】
また、乾燥装置としては流動層、キルン好気発酵等が利用可能であり、廃棄物を乾燥する場合、密閉式の乾燥炉を用い、臭気の拡散を防止することが望ましい。
【００２５】
また、乾燥後の凝縮水を放流する際には排水基準等の条件に応じて下水道処理場もしくは有機排水処理６を設け、排水基準を満たすように無害化した上で下水放流することが好ましい。
【００２６】
図２は、本発明の高含水廃棄物を含んだ廃棄物の処理方法におけるメタンガスその他の利用方法を例示する図である。
【００２７】
前記メタン発酵によって得られたメタンガスをガス化溶融炉９の羽口に吹き込むとともに、余剰分をガスエンジンで発電する若しくはガス化溶融炉９の外部過熱器の熱源として利用することにより、余剰のメタンガスを用いてガスエンジン発電することで高い発電効率を得ることができる。羽口に吹き込むことで全量ガスエンジン発電する場合に比べ、1次エネルギーとして利用するためエネルギーの利用効率が高い。また、メタンガスは燃焼しても腐食性ガスを発生させないことから、従来腐食の問題等で温度を上げられず、効率の上がらない廃棄物発電の効率を向上させることができる。
【００２８】
図３は、本発明の高含水廃棄物を含んだ廃棄物の処理方法における下水汚泥の分離処理を例示する図である。
【００２９】
前記高含水廃棄物のうち、メタンガスの発生率の高い厨芥類をメタン発酵し、メタンガス発生率の低い下水汚泥、し尿汚泥等を好気性発酵による熱で乾燥させることにより、発酵効率の高い廃棄物に限定してメタン発酵処理をすることで、発酵設備のコンパクト化を図ることができ、2次発酵熱で下水汚泥を乾燥させることで、下水汚泥のもつエネルギーを廃棄物発電に利用することが可能となる。
【００３０】
図４は、本発明の高含水廃棄物を含んだ廃棄物の処理方法における排水の利用を例示する図である。
【００３１】
ごみピットの底部に滞留するごみ汚水をメタン発酵の原料若しくはメタン発酵処理に必要な添加水として利用することにより、ピットからはごみから出た水分が回収されるが、有機性排水であるため、排水にはコストがかかる。メタン発酵と同時に処理することで低コスト処理が可能となる。
【００３２】
また、前記ガス化溶融炉から出る排水をメタン発酵に必要な添加水として利用することにより、雑排水等をメタン発酵処理の添加水として利用することで上水の使用量を削減することが可能となる。
【００３３】
図５は、本発明の高含水廃棄物を含んだ廃棄物の処理方法における排水処理の共用を例示する図である。
【００３４】
前記メタン発酵処理装置３にて発生する排水を1次処理し、ガス化溶融炉９から発生する排水と混合して排水処理することにより、排水処理を実施する場合、溶融処理から出る排水とメタン発酵処理装置３で発生する排水とで同一の処理工程を混合処理することで排水処理設備のコンパクト化を図ることができる。
【００３５】
図６は、本発明の高含水廃棄物を含んだ廃棄物の処理方法における余熱利用を例示する図である。
【００３６】
前記メタン発酵に必要な熱源をガス化溶融炉９の排熱を利用して得ることにより、全体の熱効率の向上を図ることができる。なお、余熱として、ボイラ排ガス顕熱、タービン抽気、タービン排気等が挙げられる。
【００３７】
タービン排気は他に利用することができないため、プラント全体の熱効率を上げるためにはタービン排気の利用が効果的である。
【００３８】
また、本発明のの高含水廃棄物の処理方法に用いるガス化溶融炉９およびメタン発酵処理装置３を有することにより、本発明の高含水廃棄物を含んだ廃棄物の処理方法を実現する処理装置を提供することができる。
【実施例】
【００３９】
図1に示すシャフト炉式の廃棄物ガス化溶融炉９に水分が７０質量％のバイオマス１を３０質量％まで乾燥した乾燥廃棄物とその他の廃棄物８を混合し、成型コークス、石灰石を装入し、上段羽口から空気を、下段送風口から酸素富化空気を吹込んで廃棄物を溶融処理した。いずれも上段送風量（空気）３５０Ｎｍ３／ｈ、下段送風量（空気）２５０Ｎｍ３／ｈ、酸素を富化するために、下段送酸量（純酸素）６０Ｎｍ３／ｈとし、下段羽口での送風は酸素濃度３６．３％の一定条件、また、高炉コークス及び中空筒状炭化物の使用量を４０ｋｇ／廃棄物ｔとした。尚、廃棄物は、Ｋ市で排出される一般都市ごみを使用した。
【００４０】
試験の結果、本発明の高含水廃棄物を含んだ廃棄物の処理方法によれば水分が７０質量％の食品廃棄物、汚泥、泥炭などの含水率の高い廃棄物に含まれる水の蒸発潜熱を回収し、高水分廃棄物のもつエネルギーを高効率で回収することができるうえ、排水処理に必要な薬品類の消費量を低減できることが確認できた。
【００４１】
なお、本実施例は充填層式の廃棄物溶融炉について述べたが、流動式のコークスベッド式溶融炉やキュポラ等コークスを使う溶融炉への適用も可能である。また、コークス以外の燃料（ＬＰＧ、天然ガス、灯油等）を溶融熱源として使用する炉への適用も妨げない。
【図面の簡単な説明】
【００４２】
【図１】本発明の高含水廃棄物を含んだ廃棄物の処理方法におけるガス化溶融炉とメタン発酵の組み合わせを例示する図である。
【図２】本発明の高含水廃棄物を含んだ廃棄物の処理方法におけるメタンガスのその他の利用方法を例示する図である。
【図３】本発明の高含水廃棄物を含んだ廃棄物の処理方法における下水汚泥の分離処理を例示する図である。
【図４】本発明の高含水廃棄物を含んだ廃棄物の処理方法における排水の利用を例示する図である。
【図５】本発明の高含水廃棄物を含んだ廃棄物の処理方法における排水処理の共用を例示する図である。
【図６】本発明の高含水廃棄物を含んだ廃棄物の処理方法における余熱利用を例示する図である。
【符号の説明】
【００４３】
１  高含水バイオマス                                    
２  前処理装置
３  メタン発酵装置
４  脱水装置
５  乾燥装置
６  有機排水処理
７  ガス処理
８  廃棄物
９  ガス化溶融炉
９´ガス化炉
１０  燃焼炉
１０´２次燃焼炉
１１  ボイラ
１２  節炭器
１３  減温塔
１４  脱気器
１５  バグフィルタ
１６  誘引通風機
１７  触媒反応塔
１８  煙突
１９  過熱器
１９´独立過熱器
２０  蒸気タービン
２１  復水器
２２  復水タンク
【図１】
2010149079.tif 000003
【図２】
2010149079.tif 000004
【図３】
2010149079.tif 000005
【図４】
2010149079.tif 000006
【図５】
2010149079.tif 000007
【図６】
2010149079.tif 000008